(57)【要約】【課題】外出先等での画像形成装置の印刷機能の利用を容易にする。【解決手段】画像形成装置１００は、ユーザ端末２００と近距離の無線通信する近距離無線通信手段を備え、近距離無線通信手段によって通信が確立したユーザ端末の端末情報を取得する。ユーザ端末がさらに画像形成装置に接近し、所定の距離内に近接したことを検知する近接検知手段１０８も備える。そして近接検知手段１０８がユーザ端末の近接を検知したときに、その端末の所持者を画像形成装置のユーザであると認識し、端末内の文書を印刷させるための操作ボタンを操作受付手段１０６（操作パネル）の操作メニューに追加する。このときの操作メニューには、ユーザ端末を識別していることを示すために、ユーザ端末の画像のアイコンやユーザが付けた端末の名称等が表示される。【選択図】図３
2016155270.tif 000002
【特許請求の範囲】
【請求項１】
印刷装置と、
ユーザの操作情報を表示する表示手段と、
前記ユーザの端末と無線通信する無線通信手段と、
前記無線通信手段によって前記端末の端末情報を取得する手段と、を備え、
前記無線通信手段により前記端末の近接を検知した場合、前記端末内の文書を前記印刷装置に印刷させるための操作情報を前記表示手段に追加することを特徴とする、
画像形成装置。
【請求項２】
前記端末情報は、前記端末の機種名若しくは俗称、前記ユーザが前記端末に付けた名称、前記端末にアクセスするためのパスワード情報、前記端末の機種の画像、前記端末のホーム画面若しくは待受け画面の画像のうち少なくともいずれか一つを含み、前記端末情報を前記追加された操作情報に反映させて前記表示手段に表示する請求項１に記載の画像形成装置。
【請求項３】
前記表示手段に追加された前記端末に送信させるための操作情報を指示した場合、前記端末にアクセスするためのパスワード情報を要求する請求項１又は２に記載の画像形成装置。
【請求項４】
前記端末との無線通信の電波強度を測定することにより前記近接を検知する請求項１から３のいずれか１項に記載の画像形成装置。
【請求項５】
前記画像形成装置の前に前記ユーザが立ったことを検知する人検知センサ及び／又は前記ユーザの外見を撮像する撮像手段を備えた請求項１から４のいずれか１項に記載の画像形成装置。
【請求項６】
前記端末が前記画像形成装置に近接したことに応じて、当該端末において、前記端末内の印刷可能な文書の文書リストを作成する請求項１から５のいずれか1項に記載の画像形成装置。
【請求項７】
前記端末内の文書を印刷中にエラーが生じた場合、アラーム音を発するか又はアラーム画像を前記表示手段に表示する請求項１から６のいずれか１項に記載の画像形成装置。
【請求項８】
前記端末内の文書を前記印刷装置に印刷させるために前記操作情報を指示した場合、前記表示手段に印刷可能な前記文書又は前記文書リストを表示する請求項６に記載の画像形成装置。
【請求項９】
前記無線通信手段を用いて前記端末と通信するモードと前記無線通信手段を用いて前記端末と通信しないモードとを選択可能な請求項１から８のいずれか１項に記載の画像形成装置。
【請求項１０】
前記無線通信手段を用いて前記端末内の文書を前記印刷装置で印刷完了した場合と前記無線通信手段を用いないで前記印刷装置で前記文書を印刷完了した場合とで、前記ユーザに対する課金を変更する請求項１から１０のいずれか１項に記載の画像形成装置。
【請求項１１】
無線通信により画像データを受信する手段を有するユーザの端末と、
印刷装置と、
前記ユーザの操作情報を表示する表示手段と、
前記ユーザの端末と無線通信する無線通信手段と、
前記無線通信手段によって前記端末の端末情報を取得する手段と、
を有する画像形成装置を備え、
前記画像形成装置は、
前記無線通信手段により前記端末の近接を検知した場合、前記端末内の文書を前記印刷装置に印刷させるための操作情報を前記表示手段に追加することを特徴とする、
画像形成システム。
【請求項１２】
印刷装置と、表示手段と、無線通信手段を備えた画像形成装置において、
ユーザの操作情報を前記表示手段に表示するステップと、
前記無線通信手段により前記ユーザの端末の端末情報を取得するステップと、
前記無線通信手段により前記端末の近接を検知した場合、前記端末内の文書を前記印刷装置に印刷させるための操作情報を前記表示手段に追加するステップと、
をコンピュータに実行させるプログラム。
【発明の詳細な説明】
【技術分野】
【０００１】
本発明は、画像形成装置、画像形成システム及びプログラムに関する。
【背景技術】
【０００２】
従来から、携帯端末から画像形成装置のスキャナやプリンタ等の利用を簡便にする技術が知られている。例えば、特許文献１には、携帯端末を画像形成装置の所定の位置にかざすことで、画像形成装置は第１無線通信手段により携帯端末のアクセス情報を取得し、携帯端末は画像形成装置のアクセス情報と画像形成装置が発行する秘密鍵を取得する。そして、画像形成装置から第２無線通信手段により携帯端末に接続要求が出されると、携帯端末が第１無線通信手段にて画像形成装置で生成された秘密鍵と照合して画像形成装置の接続を許可する技術が開示されている。
【０００３】
また、特許文献２には、モバイル端末を認証トークンとして機能させると共に、未設定の無線対応型プリンタに対する接続用トークンとして機能させ、その表示画面を各ユーザ用にカスタマイズされた操作パネルとして機能させるロケーションフリー印刷システムが開示されている。
【先行技術文献】
【特許文献】
【０００４】
【特許文献１】特開２０１０−０４１５６３号公報
【特許文献２】特開２０１２−０６４０３０号公報
【特許文献３】特開２０１３−２２９８９５号公報
【発明の概要】
【発明が解決しようとする課題】
【０００５】
近年では、スマートフォンやタブレットのようなモバイル端末の普及から、外出先若しくは社内の会議室やテンポラリな席等で、スキャンやプリントをすることが増えてきており、今後も加速が予想される。しかし、客先や自社内の画像形成装置でスキャンやプリントをしようとしても、モード設定が必要であったり、画像形成装置をネット上で検索して事前準備に時間がかかったりして利用が難しかった。また、単に画像形成装置でスキャンやプリントをするだけでもその会社のイントラネットに入ってしまい、セキュリティ上も問題があった。さらにユーザは、鞄等からモバイル端末を取り出す手間も煩わしかった。
【０００６】
したがって、本発明は、外出先等での画像形成装置の印刷機能を容易に利用することができる画像形成装置、画像形成システム及びプログラムを提供することを目的とする。
【課題を解決するための手段】
【０００７】
請求項１に係る発明は、印刷装置と、ユーザの操作情報を表示する表示手段と、前記ユーザの端末と無線通信する無線通信手段と、前記無線通信手段によって前記端末の端末情報を取得する手段と、を備え、前記無線通信手段により前記端末の近接を検知した場合、前記端末内の文書を前記印刷装置に印刷させるための操作情報を前記表示手段に追加することを特徴とする、画像形成装置である。
【０００８】
請求項２に係る発明は、前記端末情報は、前記端末の機種名若しくは俗称、前記ユーザが前記端末に付けた名称、前記端末にアクセスするためのパスワード情報、前記端末の機種の画像、前記端末のホーム画面若しくは待受け画面の画像のうち少なくともいずれか一つを含み、前記端末情報を前記追加された操作情報に反映させて前記表示手段に表示する請求項１に記載の画像形成装置である。
【０００９】
請求項３に係る発明は、前記表示手段に追加された前記端末に送信させるための操作情報を指示した場合、前記端末にアクセスするためのパスワード情報を要求する請求項１又は２に記載の画像形成装置である。
【００１０】
請求項４に係る発明は、前記端末との無線通信の電波強度を測定することにより前記近接を検知する請求項１から３のいずれか１項に記載の画像形成装置である。
【００１１】
請求項５に係る発明は、前記画像形成装置の前に前記ユーザが立ったことを検知する人検知センサ及び／又は前記ユーザの外見を撮像する撮像手段を備えた請求項１から４のいずれか１項に記載の画像形成装置である。
【００１２】
請求項６に係る発明は、前記端末が前記画像形成装置に近接したことに応じて、当該端末において、前記端末内の印刷可能な文書リストを作成する請求項１から５のいずれか1項に記載の画像形成装置である。
【００１３】
請求項７に係る発明は、前記端末内の文書を印刷中にエラーが生じた場合、アラーム音を発するか又はアラーム画像を前記表示手段に表示する請求項１から６のいずれか１項に記載の画像形成装置である。
【００１４】
請求項８に係る発明は、前記端末内の文書を前記印刷装置に印刷させるために前記操作情報を指示した場合、前記表示手段に印刷可能な前記文書又は前記文書リストを表示する請求項６に記載の画像形成装置である。
【００１５】
請求項９に係る発明は、前記無線通信手段を用いて前記端末と通信するモードと前記無線通信手段を用いて前記端末と通信しないモードと選択して分けることができる請求項１から８のいずれか１項に記載の画像形成装置である。
【００１６】
請求項１０に係る発明は、前記無線通信手段を用いて前記端末内の文書を前記印刷装置で印刷完了した場合と前記無線通信手段を用いないで前記印刷装置で前記文書を印刷完了した場合とで、前記ユーザに対する課金を変更する請求項１から１０のいずれか１項に記載の画像形成装置である。
【００１７】
請求項１１に係る発明は、無線通信により画像データを受信する手段を有するユーザの端末と、印刷装置と、前記ユーザの操作情報を表示する表示手段と、前記ユーザの端末と無線通信する無線通信手段と、前記無線通信手段によって前記端末の端末情報を取得する手段と、有する画像形成装置を備え、前記画像形成装置は、前記無線通信手段により前記端末の近接を検知した場合、前記端末内の文書を前記印刷装置に印刷させるための操作情報を前記表示手段に追加することを特徴とする、画像形成システムである。
【００１８】
請求項１２に係る発明は、印刷装置と、表示手段と、無線通信手段を備えた画像形成装置において、ユーザの操作情報を前記表示手段に表示するステップと、前記無線通信手段により前記ユーザの端末の端末情報を取得するステップと、前記無線通信手段により前記端末の近接を検知した場合、前記端末内の文書を前記印刷装置に印刷させるための操作情報を前記表示手段に追加するステップと、をコンピュータに実行させるプログラムである。
【発明の効果】
【００１９】
請求項１に係る発明によれば、外出先などで画像形成装置の印刷機能を利用する際、ユーザの端末から画像形成装置に文書を容易に印刷させることができる。
【００２０】
請求項２に係る発明によれば、画像形成装置側の表示手段から端末に容易にアクセスすることができる。
【００２１】
請求項３に係る発明によれば、画像形成装置側の表示手段から端末に容易にアクセスすることができる。端末にアクセスするためのパスワード情報を画像形成装置側から入力することができる。
【００２２】
請求項４に係る発明によれば、画像形成装置が端末との電波強度を測定することによって、端末の近接を検知することができる。
【００２３】
請求項５に係る発明によれば、画像形成装置が備えたセンサ等により端末の近接とユーザの存在をより確実に検知することができる。
【００２４】
請求項６に係る発明によれば、端末が近接したときに、端末内の印刷可能な文書リストを自動的に作成させることができる。
【００２５】
請求項７に係る発明によれば、印刷中のエラーの発生をユーザに通知することができる。
【００２６】
請求項８に係る発明によれば、作成された印刷可能な文書リストを画像形成装置に表示させ、印刷する文書を画像形成装置側から選択することができる。
【００２７】
請求項９に係る発明によれば、画像形成装置が端末と無線通信をするか否かのモードを必要に応じて選択することができる。
【００２８】
請求項１０に係る発明によれば、無線通信手段を用いて印刷した場合と、無線通信手段を用いないで印刷した場合とで課金を変更することができる。
【００２９】
請求項１１に係る発明によれば、請求項１に係る発明と同様な効果を有する画像形成システムを提供することができる。
【００３０】
請求項１２に係る発明によれば、請求項１に係る発明と同様な効果を有するプログラムを提供することができる。
【図面の簡単な説明】
【００３１】
【図１】本発明の実施形態に係るシステムの利用イメージを示す図である。
【図２】本発明の実施形態に係る画像形成装置１００のハードウェア構成を示す図である。
【図３】本発明の実施形態に係る画像形成装置１００及びユーザ端末２００の機能構成を示す図である。
【図４】画像形成装置１００のメイン処理のフローを示す図である。
【図５】画像形成装置１００のスキャン処理のフローを示す図である。
【図６】画像形成装置１００の印刷処理のフローを示す図である。
【図７】機能選択メニューの操作パネルの表示例を示す図である。
【図８】タブレットスキャン開始時の操作パネルの表示例を示す図である。
【図９】タブレットスキャン処理中の操作パネルの表示例を示す図である。
【図１０】タブレットスキャン処理完了時の操作パネルの表示例を示す図である。
【図１１】タブレットプリント操作時の操作パネルの表示例を示す図である。
【発明を実施するための形態】
【００３２】
以下、本発明を実施するための形態（以下、本実施形態）について図面を参照しながら説明する。
【００３３】
（システムの概念）
図１は、本発明の実施形態に係る画像形成システムの利用イメージを示す図である。本システムにおいては、画像形成装置１００が社内のデスクトップＰＣ、ノートＰＣ、タブレット等と、社内のネットワーク（イントラネット）を介して接続されており、来客や別の部署又は別の事業所の社員等（ゲストユーザと呼ぶ）に、一時的に画像形成装置１００の利用を許可しているものとする。本システムは、ゲストユーザ（以下では単にユーザと呼ぶことがある）が、設定などの事前準備をすることなく、画像形成装置１００のスキャンやプリントの機能を容易に利用することを可能とする。
【００３４】
ゲストユーザは、社内のイントラネットに接続するための通信手段とは別の通信手段を用いたネットワークを利用して、画像形成装置１００を接続する。この別の通信手段を用いたネットワークをここでは「ローカルネット」と呼ぶことにする。画像形成装置１００とユーザ端末２００とは、通信距離が１０ｍ程度の比較的近距離のアドホックな無線通信手段で接続される（例えば、Ｂｌｕｅｔｏｏｔｈ（登録商標））。また、ユーザ端末２００は、外部のネットワークとは、３Ｇ又はＬＴＥ(Long Term Evolution)、あるいはＷｉ−Ｆｉ（登録商標）等の公衆回線網で接続される。ただし、画像形成装置１００は、セキュリティを担保するため、社内ユーザのイントラネットとゲストユーザのローカルネットを独立して扱う。
【００３５】
画像形成装置１００（本装置と呼ぶ）のユーザは、スマートフォンやタブレット等のモバイル型のユーザ端末２００（単に端末と呼ぶこともある）を所持しており、本装置は、端末と比較的近距離で無線通信する近距離無線通信手段により、ユーザ端末２００が本装置の通信距離内（例えば１０ｍ程度）に入ったことを検知する。このとき、ユーザ端末２００は、鞄等の中に入れたままでよく取り出す必要はない。ユーザ（ユーザ端末２００）がさらに接近し、所定の距離（例えば２ｍ程度以下）内に近接した場合には、その端末の所持者を本装置のユーザであると認識する。
【００３６】
ユーザ端末２００が近接距離に入り、本装置がユーザと認識したときは、端末上の通信アプリ（本装置と直接のデータ交換のための専用アプリケーション）が自動で立ち上がる。本装置は、この通信アプリとの交信により、端末のＩＤ情報等を取得する。このとき、本装置の操作パネルの機能選択メニューには、端末からダイレクトに本装置のスキャン機能が利用できることを示す「タブレットスキャン」と、本装置の印刷機能をダイレクトに利用できることを示す「タブレットプリント」のボタンが自動的に追加される。ここでダイレクトに本装置を利用するとは、ユーザがユーザ端末２００をなんら操作することなく、本装置の機能を利用することを意味する。
【００３７】
ユーザが画像形成装置１００の操作パネルから、例えば「タブレットスキャン」を選択すると、操作画面が変わり、原稿を自動給紙機構にセット又は原稿読取板に置くことを促す表示がされると共に、転送先となるユーザ端末２００の名称（機種名又は俗称）と、ＩＤ名（ユーザがその端末に付けた名称）と、端末の画像（アイコン等）が表示される。機種名等が不明の場合は、デフォルトの画像を表示するようにしてもよい。
【００３８】
ユーザが原稿をセットすると、本装置のスタートボタンを押すことを促す表示に操作画面が変わり、ユーザがスタートボタンを押すと、スキャンを開始する。このとき、「スキャンオート」機能で両面／片面、原稿の向き／傾き補正、適正な圧縮方法等が自動実行されて、転送状況が表示される。転送が完了すると画面表示が転送完了を告げ、ユーザ端末２００には、転送された画像データのフォーマットに従った相応のアプリケーションが起動され、最初のページが表示される。したがって、従来のように、管理者が必要な設定をした上で、ユーザがその画像形成装置１００を検索するといった事前準備が不要となる。
【００３９】
一方、ユーザが本装置の操作パネルのメニューから「タブレットプリント」を選択すると、操作画面が変わり、スキャンの場合と同様に、ユーザ端末２００の名称、ＩＤ名、端末の画像等が表示されて、本装置で印刷可能なフォーマットの文書がリストとして表示される。ただし、ユーザ端末２００には、印刷文書のデータが予め格納されているとする。
【００４０】
そして、ユーザが印刷したい文書を選択し、「スタートボタン」を押すと、印刷が開始する。このとき、ユーザ端末２００より選択された文書の印刷データが画像形成装置１００に転送され、端末からの「タブレットプリント」が実行される。後は、ユーザが排出トレイに出力された用紙を取り出すだけである。したがって、従来のように、外出先で画像形成装置を使って印刷する場合には、その機種に合ったプリンタドライバを探しインストールする等の設定や管理者に許可を得る等の事前準備が不要となる。
【００４１】
（画像形成装置のハードウェア構成）
図２は、本発明の実施形態に係る画像形成装置１００のハードウェア構成を示す図である。画像形成装置１００は、主な構成として、装置全体の制御装置であるコントローラ１０と、印刷装置２０、画像読取装置３０、ユーザインターフェース装置４０とを備えている。
【００４２】
印刷装置２０は、プリンタエンジンとも呼ばれ、画像形成装置１００の印刷機能を実行する機構であり、印刷した紙の仕分け、折りたたみ、ステープラ（ホッチキス）止め、中とじ等の後処理を行うフィニッシャ２１をオプションとして備えていてもよい。
【００４３】
画像読取装置３０は、紙等の媒体の画像を読み取るスキャナであり、自動給紙機構（ＡＤＦ:Automatic  Document  Feeder）を備えていることが望ましいが、両面自動給紙機構（ＤＡＤＦ:Duplex  ADF）を備えていると更に望ましい。
【００４４】
ユーザインターフェース装置４０（以下、ＵＩ装置４０と略す）は、ユーザからの操作入力を受付け、またユーザへの画面表示を行う操作パネル等であり、典型的には、タッチパネルとその他の物理スイッチ等から構成される。また、ＵＩ装置４０には音声入出力機能を備えていてもよい。
【００４５】
コントローラ１０は、ＣＰＵ(Central  Processing  Unit）１１、ＲＯＭ（Read  Only  Memory)１２、ＲＡＭ(Random  Access  Memory)１３を有し、装置全体を制御し、それぞれの内部インターフェース部（Ｉ／Ｆ部）を介して、印刷装置２０、画像読取装置３０、ＵＩ装置４０等と接続されている。また、コントローラ１０は、外部との通信機能を有し、このための通信手段は、前述したイントラネットとの接続のため社内ＰＣ等との通信を制御するイントラネット通信部１４と、ローカルネットとして、ゲストユーザのユーザ端末２００との近距離の無線通信を行う近距離無線通信部１５に分けられる。イントラネット通信部１４は、有線、無線を問わず、イーサネット（登録商標）やＵＳＢ(Universal  Serial  Bus)のような一般的なインターフェースであってよい。
【００４６】
近距離無線通信部１５は、既に述べたように、通信距離が１０ｍ程度の比較的近距離の無線通信手段であり、例えば、相手装置との接近距離を判別可能で、ペアリング等の事前設定が必要のないＢｌｕｅｔｏｏｔｈ（登録商標）ＬＥ（Low Energy）／４．０のような通信手段が望ましい。また、近距離無線通信部１５は、ユーザ端末２００が無線の通信距離（第１の距離とも呼ぶ）に入ったユーザ端末２００を検知し、その後、さらに接近した近接距離（第２の距離とも呼ぶ）内に入ったユーザ端末２００を検知する機能を有する。これにより、近接距離内に一定時間（例えば、数秒〜１０秒程度）静止したユーザ端末２００を、ゲストユーザの端末であると認識する。コントローラ１０がゲストユーザを検知すると、既に述べたように、ＵＩ装置４０にユーザ端末２００からダイレクトにプリントする機能やスキャンした画像データを保存するためのメニューが自動的に追加される。
【００４７】
なお、コントローラ１０には、その他オプションとして、人検知センサ５０やカメラ等の撮像手段５１を備え、ユーザが本装置の前に立ったことを検知し、また、ユーザの外見を撮像し、単に通りすがりの人間であるか、本装置を利用しようとするユーザであるかをより確実に見分けるようにしてもよい。なお、撮像手段５１は、人間の顔を認識し、視線を検知する顔認識カメラであってもよい。この場合、ユーザの視線が本装置の操作パネルに向いていることを検知したことによって本装置のユーザであると判定してもよい。その他、画像形成装置１００には、オプションとして、印刷ジョブを蓄積する記憶装置、大容量給紙機構、カードや各種の記憶媒体を読み取る装置等が存在し得るが、ここでは説明を省略する。
【００４８】
（画像形成装置及びユーザ端末の機能構成）
図３は、本発明の実施形態に係る画像形成装置１００及びユーザ端末２００の機能構成を示す図である。
【００４９】
（画像形成装置）
画像形成装置１００は、一つの機能構成として図示するように、制御手段１０１、記憶手段１０２、印刷手段１０３、画像読取手段１０４、表示手段１０５、操作受付手段１０６、近距離無線通信手段１０７、近接検知手段１０８、及びイントラネット通信手段１０９から構成される。制御手段１０１は、記憶手段１０２に記憶されたプログラムにより、装置全体を制御する。記憶手段１０２には、プログラムの他、各種データが格納される。印刷手段１０３は、印刷装置２０を制御し、受信した印刷データを解析し、印刷する画像データ（ラスターイメージ）を生成する。画像読取手段１０４は、画像読取装置３０を制御し、スキャンした画像データを記憶手段１０２に一時的に格納する。表示手段１０５と操作受付手段１０６は、ＵＩ装置４０を制御し、ユーザに操作メニューや操作ガイドを表示したり、操作入力を受け付けたりする機能を果たす。
【００５０】
近距離無線通信手段１０７は、ユーザ端末２００との無線通信を制御し、通信距離内にあるユーザ端末２００を検知し、その端末と交信を確立する。また、近接検知手段１０８は、人検知センサ５０及び／又は撮像手段５１からの情報を取得し、ユーザの接近や操作パネルの前に立ったユーザを判別する。さらに近距離無線通信手段１０７は、ユーザ端末２００との距離が近接距離内に入ったことを、無線通信の電波強度を測定すること等により検知すると、表示手段１０５に対して、先に述べた「タブレットスキャン」や「タブレットプリント」を選択する操作手段としての専用のボタンを、操作メニューに追加するように指示する。このとき、人検知センサ５０、撮像手段５１が取得した情報を利用して、ユーザ検知の精度を高めるようにしてもよい。すなわち、近距離無線通信手段１０７による端末との無線の電波強度の測定に加え、人検知センサ５０、撮像手段５１の検知情報を組み合わせて、端末の近接を検知する近接検知手段１０８として機能させるようにしてよい。
【００５１】
イントラネット通信手段１０９は、イントラネット内の社内ユーザのＰＣ等との通信を制御する。なお、制御手段１０１は、近距離無線通信手段１０７とイントラネット通信手段１０９とを独立して制御することで通信のセキュリティを担保する。したがって、後述の機能を持ったユーザ端末２００を所持しない社内ユーザが本装置に接近してもゲストユーザとはみなさず、上記のようなゲストユーザ向けの操作メニューの追加は行わない。また、ユーザ端末２００から本装置を利用するゲストユーザが社内のイントラネットにアクセスすることも防止する。
【００５２】
（ユーザ端末）
ユーザ端末２００は、図示するように、近距離無線通信手段２０１、通信アプリ２０２、記憶手段２０３、画像表示手段２０４を備えている。ただし、本発明に関係のない機能部は省略している。
【００５３】
近距離無線通信手段２０１は、画像形成装置１００の近距離無線通信手段１０７と交信し、交信が確立したタイミング又は端末の近接を検知したタイミングで、ユーザ端末２００の機種名若しくは俗称、ＩＤ名（ユーザが端末に付けた名称）、機種の画像のうち、少なくともいずれか一つを送信する。機種の画像を端末内に保持している場合は、その画像を送信するほうがよい。特に、他のユーザの端末と区別を行い易くするため、ユーザがユニークなデコレーションを施した端末の画像を保持しておき、本装置に送信するようにしてもよい。機種の画像を端末内に保持していない場合は、本装置が機種名から画像をＷｅｂで検索するようにしてもよい。あるいは、機種の画像ではなく、端末のホーム画面や待受け画面の画像を表示するようにしてもよい。
【００５４】
通信アプリ２０２は、画像形成装置１００専用のアプリケーションであり、端末のメーカのＷｅｂサイト等からダウンロードしてインストールされているものとする。通信アプリ２０２は、画像形成装置１００のプリンタ及びスキャナのドライバ機能を含み、さらに、端末の記憶手段２０３のフォルダ構成を検索する手段、スキャナが読み取った画像データを受信する画像受信手段、受信した画像データを端末内の記憶手段２０３やクラウドに格納する手段、フォルダ内の印刷可能な文書を検索し、文書リストを作成する文書リスト作成手段、選択された文書の印刷データを生成し、画像形成装置１００に送信する手段等を有している。なお、印刷可能な文書は、ＰＤＦやＷＯＲＤ等の一般的な文書を想定しているがこれらに限定されない。また、画像表示手段２０４は、通信アプリ２０２が画像形成装置１００から受信した画像データ、記憶手段２０３に格納された画像データを表示するタッチパネル等である。画像形成装置と端末側両方に画像表示手段(操作表示手段）を備えるが、本装置のゲストユーザは、画像形成装置側の操作表示手段だけでスキャンやプリントの作業を行なえる。
【００５５】
また、通信アプリ２０２は、画像形成装置１００とユーザ端末２００が近接したことに応じて、自動的に起動させることが望ましい。あるいは通信が確立したことに応じて前もって起動させてもよい。また、端末にパスコードが設定されている場合は、画像形成装置１００の操作パネルからパスコードを入力させ、認証する機能も有していることが望ましい。こうすることでユーザは、スキャンや印刷のたびにユーザ端末２００を鞄などからいちいち取り出す必要がなくなる。
【００５６】
以上、画像形成装置１００とユーザ端末２００の機能構成を説明したが、上記の機能構成は、あくまで一例であり、一つの機能ブロックを分割したり、複数の機能ブロックをまとめて一つの機能ブロックとしたりして構成してもよい。各機能ブロックの処理部は、その装置のＣＰＵが、プログラムメモリに格納されたプログラム、又は記憶媒体若しくはネットワークから提供されたプログラムを読み出し、そのプログラムを装置内のコンピュータが実行することによって実現される。
【００５７】
（処理フロー及び操作画面表示例）
図４は、画像形成装置１００のメイン処理のフローを示す図である。画像形成装置１００（以下では単に装置という）は、通信距離内（第１の距離内）に位置するユーザ端末２００（以下では単に端末という）をすべて検出して周囲の環境を把握する（ステップＳ１０）。そして、通信距離内に検知された端末情報を取得する（ステップＳ１１）。ここで、取得する情報は、端末のＩＤ名（ユーザが端末に付けた名称）と機種名（又は俗称）でよいが、モデル名、シリアル番号、端末画像又はアイコンを含めてもよい。また、その端末の機種画像又はアイコンの画像等をＷｅｂから検索して取得しておいてもよい。ここで取得した端末情報は、操作情報に反映させて装置の表示手段に表示する。例えば、操作メニューや操作ボタンに端末情報を画像や文字で表示させる。
【００５８】
次に、端末がさらに装置に接近し近接距離内（第２の距離内）に入ったか否かを判定する（ステップＳ１２）。端末が近接距離内に入らず、かつ通信距離内から離脱した場合は（ステップＳ１３：Ｙ）、単なる通りすがりの人間と判断し、取得した端末情報を消去する（ステップＳ１４）。ただし、実際に接続した端末の端末情報は、セキュリティの観点からは、暗号化して履歴として残すようにしてもよい。
【００５９】
一方、近接距離内に端末が接近した場合（ステップＳ１２：Ｙ）は、ステップＳ１５において、その端末が一定時間（例えば数秒〜１０秒）、近接距離内に留まっているか否かを判定する。ここで端末又はユーザとのおおよその距離は、電波の通信強度から測定可能であるが、近接検知手段１０８を利用してより正確に測定してもよい。ステップＳ１５において、端末が一定時間、近接距離内に留まっていることを検知すると、その端末を、これから装置を利用しようとするユーザの端末と特定する（ステップＳ１６）。このとき近接検知手段１０８がユーザの外見又は顔画像を捉えていることを確認してもよい。近接距離内に複数の端末が存在する場合は、先に装置に接近した端末の方を優先し、他方の端末は認識しないようにしてもよい。
【００６０】
ユーザの端末の特定後、装置の近距離無線通信手段１０７がその端末の通信アプリ２０２を起動させる信号を送信する（ステップＳ１７）。続いて、画像読取装置が読み取る画像データを端末に送信させるための操作情報、及び端末内の文書を印刷装置に印刷させるための操作情報を表示手段に追加する。具体的には、例えば、装置の操作パネル上に、端末とのダイレクトな処理を選択可能にするためのメニューや操作ボタンを追加する（ステップＳ１８）。図７は、このときの操作パネルに表示される操作画面３００の一例を示したものである。図示するように、「タブレットスキャン」ボタン３０１、「タブレットプリント」ボタン３０２が通常の操作メニューに追加される。上記のボタンには、ユーザが端末に付けた名称が表示される。また、このボタンの周辺に、端末の機種の画像やその機種に対応したアイコン、その他、端末を識別し易い画像を表示することが望ましい。特に、端末の機種の画像が取得できない場合は、端末のホーム画面又は待受け画面の画像が表示されるようにしてもよい。また、操作画面３００には、ゲストユーザ用の操作モードであることを示すために、例えば、図示するようなアイコン３０３を表示するようにしてもよい。
【００６１】
また、画像形成装置は、無線通信手段を用いてゲストユーザの端末と通信するモードと、無線通信を行わないモードとの２つを選択可能としてもよい。例えば、画像形成装置の設置フロアに管理者や社員が誰もいないような時間帯には、セキュリティ上、無線通信を行わないモードに設定するようにしてもよい。
【００６２】
そして、ユーザが上記の操作画面３００から、「タブレットスキャン」又は「タブレットプリント」の機能を選択すると（ステップＳ１９：Ｙ）、ステップＳ２１において、選択された操作を実行する。なおユーザが操作メニューから機能を選択せず（ステップＳ１９：Ｎ）、かつ近接距離外に端末が移動した場合は（ステップＳ２０：Ｙ）、ステップＳ１４に戻り、取得された端末情報をすべて消去する。ただし、実際に接続した端末の端末情報は、セキュリティの観点からは、暗号化して履歴として残すようにしてもよいのはスキャンの場合と同様である。
【００６３】
（スキャン処理）
図５は、画像形成装置１００のスキャン処理のフローを示す図である。このフローは、前図のステップＳ１９において、「タブレットスキャン」が選択された場合の処理の流れを示す。また、図８、図９、図１０は、そのときの操作パネル上の画面を示したものである。以下、図５、図８〜図１０を参照しながら説明する。
【００６４】
「タブレットスキャン」が選択されると、端末にパスコード（パスワード情報）が設定されている場合は、まず、パスコードを要求するためのパスコード入力画面を装置の操作パネル上に表示する（ステップＳ３０）。このときの操作パネルの画面表示の例を図８（ａ）の画面４００に示す。端末との通信中はこの画面４００に、端末の記憶領域の残量４０１を表示するようにしてもよい。端末の通信アプリ２０２は、このときスキャンした画像データをいったん格納するフォルダ名を装置に送信する。図８（ｂ）の画面例では、デフォルトとして、端末の「写真」フォルダが表示されているが、通信アプリ２０２の設定により変更は可能とする。
【００６５】
次に、入力されたパスコードがＯＫの場合（ステップＳ３１：Ｙ）、ユーザに原稿をセットするように促す画面（図８（ｂ）参照）を装置の操作パネル上に表示する（ステップＳ３２）。そして、原稿のセットを装置が検知すると（ステップＳ３３：Ｙ）、スタートボタンを押すように促す画面（図９（ｃ）参照）を表示する（ステップＳ３４）。
【００６６】
そして、ユーザがスタートボタンを押すと（ステップＳ３５：Ｙ）、スキャン処理が開始する（ステップＳ３６）。このとき図９（ｄ）に示すようなスキャンした原稿が転送中であることを示すアニメーションが表示され、転送の進行度がプログレスバー４３１に表示される。また、プログレスバー４３１には、転送済みの画像データの容量を表示するようにしてもよい。また、転送が完了した画像データは、端末側にページごとにその画像が順次表示されるようにしてもよい。
【００６７】
スキャン処理が完了する前に、すなわち画像データを端末が受信中に、端末が通信距離外に移動したこと等によってエラーが生じた場合（ステップＳ３７：Ｙ）、いったんスキャン処理を中止し、アラーム音を発したり、アラーム画像を表示したりする（ステップＳ４０）。スキャン処理中にユーザの端末が装置の通信距離外に離れると、スキャンしたデータの転送が不能になり、また、ユーザが操作中に装置との通信距離外に離れるのは、セキュリティ上好ましくないからである。
【００６８】
そして、スキャン処理が完了すると（ステップＳ３８：Ｙ）、スキャン完了画面（図１０（ｅ）参照）を表示する（ステップＳ３９）。スキャンが完了したときには、スキャンした原稿の最後のページが表示されるようにしてもよいし、スキャンした原稿のサムネイル画像の一覧を表示するようにしてもよい。なお、スキャンが完了しても原稿台に原稿が一定時間放置されている場合にもアラームを発する。
【００６９】
上記の説明で明らかなように、本スキャナでは、外付けＨＤＤやＵＳＢメモリ等の単なるポータブル記憶装置とは異なり、画像形成装置のＵＩ装置と端末のＵＩ装置の２つのうち、画像形成装置側のＵＩの１つに集約して操作が完結することになる。
【００７０】
（印刷処理）
図６は、画像形成装置１００の印刷処理（プリント処理）のフローを示す図である。このフローは、図４のステップＳ１９において、「タブレットプリント」が選択された場合の処理の流れを示す。また、図１１は、印刷処理時の操作パネル上の画面を示す図である。以下、図６と図１１を参照しながら説明する。
【００７１】
「タブレットプリント」が選択されると、端末にパスコードが設定されている場合は、まず、パスコード入力画面を装置の操作パネル上に表示する（ステップＳ５０）。入力されたパスコードがＯＫの場合（ステップＳ５１：Ｙ）、端末の通信アプリ２０２は、端末のメモリ領域を検索し、文書ファイルを抽出して、文書リストを装置に送信する。検索する範囲は、端末のメモリに格納されている文書だけでなく、端末が３Ｇ／ＬＴＥ等で外部ネットワークに接続可能な環境にあるときは、ユーザに割当てられたクラウドに格納された文書にまで検索範囲を広げるようにしてもよい。その場合は、クラウド内の文書のリストを印刷前に取得しておく必要がある。装置側では、受信した文書リストを操作パネル上に表示する（ステップＳ５２）。このときの操作パネル上の画面例を図１１（ａ）に示す。
【００７２】
また、図示は省略するが、端末側にも、上記で抽出した印刷可能な文書又は文書リストを表示させるようにしてもよい。端末側に文書を個々に表示する場合は、文書名だけでなくファーストページ等、文書の内容が判る画像を表示するようにしてもよい。
【００７３】
そして、ユーザが表示された文書リストから文書を選択し（ステップＳ５３：Ｙ）、印刷設定（部数、片面／両面、Ｎ−ｕｐ、モノクロ／カラーの指定など）を行った後、スタートボタンを押すと（ステップＳ５４：Ｙ）、プリント処理が開始する（ステップＳ５５）。ステップＳ５３では複数の文書を選択してもよい。印刷が開始すると、図１１（ｂ）に示すように、選択された文書が印刷中であることを示すアニメーションが表示され、印刷中のページがプログレスバー４５１と共に表示される。
【００７４】
印刷処理が完了する前に、すなわち印刷中に、端末が通信距離外に移動したこと等によってエラーが生じた場合（ステップＳ５６：Ｙ）、印刷を中止し、アラーム音を発したり、アラーム画像を表示したりする（ステップＳ６０）。ただし、装置に送信済みの印刷ページはそのまま印刷を続行する。印刷中に端末が装置の通信距離外に離れると、印刷データの送信が不能になり、セキュリティ上はもちろん、用紙切れや用紙ジャム等の際にも好ましくないからである。
【００７５】
そして、印刷処理が完了すると（ステップＳ５７：Ｙ）、印刷完了画面（図示せず）が操作パネル上に表示される（ステップＳ５８）。他に印刷する文書があると判断した場合は（ステップＳ５９：Ｙ）、ステップＳ５３に戻り、再び印刷する文書を選択させる。なお、印刷が完了しても排紙トレイに用紙が一定時間放置されている場合にもアラームを発する。
【００７６】
また、画像形成装置が課金機能を備えている場合は、無線通信手段を用いてユーザの端末内の文書を印刷装置で印刷させた場合と、無線通信手段を用いないでユーザの端末内の文書を印刷装置で印刷させた場合とで、ユーザに対する課金を変更するようにしてもよい。
【００７７】
以上、実施形態を用いて本発明を説明したが、本発明の技術的範囲は上記実施形態に記載の範囲には限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００７８】
１０  コントローラ
２０  印刷装置（プリンタエンジン）
２１  フィニッシャ
３０  画像読取装置（スキャナ）
３１  両面自動給紙機構（ＤＡＤＦ）
４０  ユーザインターフェース装置（ＵＩ装置）
５０  人検知センサ
５１  撮像手段
１００  画像形成装置
１０１  制御手段
１０２  記憶手段
１０３  印刷手段
１０４  画像読取手段
１０５  表示手段
１０６  操作受付手段
１０７  近距離無線通信手段
１０８  近接検知手段
１０９  イントラネット通信手段
２００  ユーザ端末
２０１  近距離無線通信手段
２０２  通信アプリ
２０３  記憶手段
２０４  画像表示手段
【図１】
2016155270.tif 000003
【図２】
2016155270.tif 000004
【図３】
2016155270.tif 000005
【図４】
2016155270.tif 000006
【図５】
2016155270.tif 000007
【図６】
2016155270.tif 000008
【図７】
2016155270.tif 000009
【図８】
2016155270.tif 000010
【図９】
2016155270.tif 000011
【図１０】
2016155270.tif 000012
【図１１】
2016155270.tif 000013